(57)【要約】【課題】  指圧効果および磁気治療効果を有する磁気治療器を提供する。【解決手段】  平板状の底面に複数の磁石が配置されており、底面に形成した複数の開口部から球状体が突出し、該球状体は、ばねの弾性力で回転自在に押圧されて玉受けに装着された磁気治療器。【選択図】  図１
0003132842.tif 000002
【実用新案登録請求の範囲】
【請求項１】
平板状の底面に複数の磁石が配置されており、底面に形成した複数の開口部から球状体が突出し、該球状体は、ばねの弾性力で回転自在に押圧されて玉受けに装着されたことを特徴とする磁気治療器。
【請求項２】
平板状の底面に配置された磁石は、平面と垂直方向に磁化されており、相互に最も近い磁石の表面の磁極は互いに異なるものであることを特徴とする請求項１ 記載の磁気治療器。
【請求項３】
球体が、遠赤外線放射物質、磁石材料の少なくともいずれか一方を含有したことを特徴とする請求項１または２記載の磁気治療器。
【考案の詳細な説明】
【技術分野】
【０００１】
本考案は、筋肉のこり、痛み等を和らげ、血流促進、健康増進の目的で使用される磁気治療器に関する。
【背景技術】
【０００２】
磁力による血流促進、健康増進等の目的で使用される磁気治療器が知られている。これらの磁気治療器は、身体の各部に装着するための装着具に取り付けられたり、磁石を貼着用部材によって貼り付けて磁気の作用を利用するものが知られている。
また、このような身体の一部に装着するもの以外にも、磁石体で構成された多数の凸部を有する磁石を回転自在に玉受に取り付けることによって、磁力による作用とともに凸部による指圧作用の両者を作用させた磁気マッサージ器具が提案されている（例えば、特許文献１参照）。
しかしながら、径が大きな一個の球体の表面に凹凸を形成したものであって、身体の広い範囲に適用することはできないものであった。また、球体に設けた凸部の間隔は５ないし１２ｍｍが特に好ましいとされているが、このような大きな間隔で設けた球体を押しつけた場合には、部位によっては必要以上に押圧されて使用者に対して痛みを与えるものであった。
【特許文献１】実用新案登録第３１０４４１５号公報
【考案の開示】
【考案が解決しようとする課題】
【０００３】
本考案は、磁力線、遠赤外線による身体表面温度を高め、更に血流促進効果ととに、身体表面の押圧によるつぼ刺激効果を身体の任意の部位に作用させることが可能な磁気磁気治療器を提供することを課題とするものであって、身体の任意の部位に適用することが可能で取扱が容易で大きな効果が期待できる磁気治療器を提供することを課題とするものである。
【課題を解決するための手段】
【０００４】
本考案の課題は、平板状の底面に複数の磁石が配置されており、底面に形成した複数の開口部から球状体が突出し、該球状体は、ばねの弾性力で回転自在に押圧されて玉受けに装着された磁気治療器によって解決することができる。
平板状の底面に配置された磁石は、平面と垂直方向に磁化されており、相互に最も近い磁石の表面の磁極は互いに異なるものである前記の磁気治療器である。
球体が、遠赤外線放射物質、磁石材料の少なくともいずれか一方を含有した前記の磁気治療器である。
【考案の効果】
【０００５】
本考案によれば、磁気作用と指圧作用を同時に作用させることが可能であって、身体の各部位に接触した状態で容易に移動できるので、移動しながら身体の広い範囲に対して磁気的な作用と指圧的な作用を同時に作用させることができるので、効率的な磁気治療と指圧治療を適用することができる。
更に、遠赤外線放射物質を球体に使用した場合には、磁気的な作用、指圧的な作用に加えて遠赤外線による作用も合わせて利用することが可能となる。
【考案を実施するための最良の形態】
【０００６】
以下に、本考案を図面を参照して説明する。
図１は、本考案の磁気治療器を一例を説明する図である。
図１（Ａ）は、本考案の磁気治療器の底面から見た平面図であり、図１（Ｂ）は、図１（Ａ）において、Ａ−Ａ線で切断した断面図である。
本考案の磁気治療器１は、底部体２、内部体７および蓋体６から形成されている。底部体２の底面２Ａには、複数個の磁石３が配置されている。また、開口部４は、底面に均等に配置されていることが好ましい。
また、底部体２に設けた複数個の開口部４には球体５が配置されており、図に示した例では、６個の開口部が配置されている。球体５は、内部体７に設けた玉受け８によって保持されている。玉受け８には、ばね９とばねに結合した玉押し１０が装着されて、球体５は回転自在に取り付けらている。
【０００７】
本考案の磁気治療器１を身体に押しつけて身体の表面に平行に移動すると、底部体２の開口部４から突出した球体５が、身体の表面と接触して回転をしながら移動できるので、身体の表面には、球体５によるつぼの刺激等の指圧効果を与えることができる。
また、底部体２の表面２Ａには、複数個の磁石３が配置されているので、球体によるつぼ刺激とともに、磁石３の磁力線による作用を与えることができる。
また、磁気治療器１の蓋体６の表面には凹条部１１が形成されており、磁気治療器１を身体に押し当てながら移動する際に、磁気治療器１が持ちやすくまた移動しやすいものとしている。更には、凹条部１１は磁気治療器１の蓋体面に意匠性を施す作用も有している。
【０００８】
図２は、磁石の配置の一例を説明する図であり、図２（Ａ）は平面図を示し、図２（Ｂ）は、図２（Ａ）におけるＢ−Ｂ線での断面図を示す。
図２は、平板状の磁石として円盤状磁石を配置した例を示している。底部体２の表面２に、円盤面と垂直方向に磁化された円盤状の磁石３が、相互に最も近い磁石の表面の隣接する磁石の磁極が異なるように配置されており、一つの磁石からの磁力線が隣接する磁石からへと形成されるので磁気治療器を接した身体に対して大きな磁気治療効果を発する。
【０００９】
図３は、本考案の磁気治療器の一例を外観を説明する図であり、図３（Ａ）は、平面図であり、図３（Ｂ）は側面図である。
本考案の磁気治療器１の底部体２および蓋体６の表面には、磁気治療器１に対して意匠性を与えるとともに、手に取った時に取り扱いやすくするために凹条部１１が形成されている。
底部体２、蓋体６は、内部体（図示せず）に球体５を装着した後に、取付ねじ１２によって固着されて一体化されている。
【００１０】
次に、本考案の磁気治療器に好適な材質について説明する。
磁気治療器１の底部体２、蓋体６には、磁気に影響を及ぼさない材料であれば、合成樹脂、金属、木材、ガラス、陶磁器、セラミックスなどを用いることができる。
また、磁石３には、マンガンアルミニウム磁石、フェライト磁石、あるいはネオジム磁石、サマリウム磁石等の希土類磁石が挙げられる。これらの磁石は、１１０ｍＴ〜１８０ｍＴの磁束密度を有するものが望ましい。
【００１１】
また、球体５は、遠赤外線放射材料を含有したものであって、電気石（トルマリン）、ケイ酸ジルコニウムなどのセラミックスを含有したものを挙げることができ、磁石材料を含有したものであっても良い。
遠赤外線放射材料あるいはこれに磁石材料を加えたものを焼成したり、又はこれらの材料をゴム、合成樹脂材料と混合して球体に成形したものを用いることができる。磁石材料を含有する場合には、直径方向に着磁したものが好ましい。
【００１２】
球体は、直径１７〜２０ｍｍのものが取扱易く、またつぼ刺激効果の面からも好ましい。
球体が磁石材料を含有する場合には、磁力は１６０ｍＴ〜２２０ｍＴの磁束密度を有するものが望ましい。
【産業上の利用可能性】
【００１３】
本考案の磁気治療器は、底面の身体と接触する面に平板状磁石を配置するととに、基体の底面に設けた複数個の開口部から突出し、玉受けに保持されて自由に回転する球体を配置したので、身体の表面に押し当てながら移動すると、磁力による作用とともに突出した球体によるつぼ刺激効果の両者によって、磁気的な作用とともに、大きな指圧効果を与えることができる。
【図面の簡単な説明】
【００１４】
【図１】本考案の磁気治療器を一例を説明する図である。
【図２】図２は、磁石の配置の一例を説明する図である。
【図３】図３は、本考案の磁気治療器の一例を外観を説明する図である。
【符号の説明】
【００１５】
１…磁気治療器、２…底部体、３…磁石、４…開口部、５…球体、６…蓋体，７…内部体、８… 玉受け、９…ばね、1 ０…玉押し、１１…凹条部、１２…取付ねじ
【図１】
0003132842.tif 000003
【図２】
0003132842.tif 000004
【図３】
0003132842.tif 000005